(57)【特許請求の範囲】
【請求項１】
企業によって指定された指定日時及び指定空間のうちユーザによって選択された選択日時及び選択空間において前記ユーザが料理を作ることを可能とするサービスを提供するサービス提供システムで使用される管理サーバであって、
前記ユーザごとに、味付けの好みを示す味の嗜好情報を含むユーザ情報を管理するように構成されているユーザ情報管理部と、
前記ユーザごとに、前記選択日時を示す選択日時情報と、前記選択空間を示す選択空間情報と、前記ユーザによって選択された前記料理を示す選択料理情報と、前記料理のレシピに対応するコンテンツを識別するコンテンツ識別情報と、前記料理の分量を示す分量情報とを関連付ける予約情報を管理するように構成されている予約情報管理部と、
前記ユーザに対して、前記選択日時以前に、前記選択日時に関連付けられている前記コンテンツを配信するように構成されているコンテンツ配信部と、を具備しており、
前記コンテンツ配信部は、前記味の嗜好情報と前記コンテンツ識別情報と前記分量情報とに基づいて、前記ユーザごとに、前記レシピ内における食材及び調味料の少なくとも一方についての分量の記載を変更した前記コンテンツを生成して配信するように構成されている、管理サーバ。
【請求項２】
前記コンテンツは、１つ又は複数の静止画によって構成されている、請求項１に記載の管理サーバ。
【請求項３】
前記指定空間は、前記ユーザのオフィス内の会議室、執務室及び一時的に利用若しくは貸与を許可する種類のレンタルスペースの少なくとも１つを含む、請求項１又は２に記載の管理サーバ。
【請求項４】
前記指定日時は、前記ユーザの移動時間中及び勤務時間中の少なくとも一方における隙間時間である、請求項１〜３のいずれか一項に記載の管理サーバ。
【発明の詳細な説明】
【技術分野】
【０００１】
本開示は、企業によって指定された指定日時及び指定空間のうちユーザによって選択された選択日時及び選択空間においてユーザが料理を作ることを可能とするサービスを提供するサービス提供システムで使用される管理サーバに関する。
【背景技術】
【０００２】
従来、通信ネットワークを介してユーザに対して料理のレシピを提供するシステムが知られている（例えば、特許文献１又は２参照）。
【先行技術文献】
【特許文献】
【０００３】
【特許文献１】特開２００２-２８８３５１号公報
【特許文献２】特開２０１７-１９９２９６号公報
【発明の概要】
【発明が解決しようとする課題】
【０００４】
一般的に、共働きの世帯では、料理をゆっくり作る時間を取ることが難しいという悩みを有しているため、上述のシステムによって、料理のレシピを提供したところで、かかる悩みを根本的に解決することができない。
【０００５】
かかる悩みを解決するために、宅食や中食等を活用することが考えられるが、これらを活用することは、高コストに繋がるために持続することが困難であるし、頻繁に活用することは罪悪感に繋がるし、味もマンネリになってしまう等の問題点があった。
【０００６】
そこで、本開示は、上述の課題に鑑みてなされたものであり、上述の共働きの世帯の悩みを根本的に解決することができる管理サーバを提供することを目的とする。
【課題を解決するための手段】
【０００７】
本開示の第１の特徴は、企業によって指定された指定日時及び指定空間のうちユーザによって選択された選択日時及び選択空間において前記ユーザが料理を作ることを可能とするサービスを提供するサービス提供システムで使用される管理サーバであって、前記ユーザごとに、味付けの好みを示す味の嗜好情報を含むユーザ情報を管理するように構成されているユーザ情報管理部と、前記ユーザごとに、前記選択日時を示す選択日時情報と、前記選択空間を示す選択空間情報と、前記ユーザによって選択された前記料理を示す選択料理情報と、料理のレシピに対応するコンテンツを識別するコンテンツ識別情報と、前記料理の分量を示す分量情報とを関連付ける予約情報を管理するように構成されている予約情報管理部と、前記ユーザに対して、前記選択日時以前に、前記選択日時に関連付けられている前記コンテンツを配信するように構成されているコンテンツ配信部と、を具備しており、前記コンテンツ配信部は、前記味の嗜好情報と前記コンテンツ識別情報と前記分量情報とに基づいて、前記ユーザごとに、前記レシピ内における食材及び調味料の少なくとも一方についての分量の記載を変更した前記コンテンツを生成して配信するように構成されていることを要旨とする。
【発明の効果】
【０００８】
本開示によれば、上述の共働きの世帯の悩みを根本的に解決することができる管理サーバを提供することができる。
【図面の簡単な説明】
【０００９】
【図１】図１は、一実施形態に係るサービス提供システム１の全体概略構成の一例を説明するための図である。
【図２】図２は、一実施形態に係る管理サーバ１００の機能ブロックの一例を示す図である。
【図３】図３は、一実施形態に係る管理サーバ１００のユーザ情報管理部１０１によって管理されるユーザ情報の一例を示す図である。
【図４】図４は、一実施形態に係る管理サーバ１００の企業情報管理部１０２によって管理される企業情報の一例を示す図である。
【図５】図５は、一実施形態に係る管理サーバ１００のユーザインターフェイス１０４によって提供されてユーザ１０の端末２０に表示されるユーザ予約画面の一例を示す図である。
【図６】図６は、一実施形態に係る管理サーバ１００の予約情報管理部１０５によって管理されるユーザ情報の一例を示す図である。
【図７】図７は、一実施形態に係る管理サーバ１００のコンテンツ配信部１０７によって端末２０上に表示されるレシピに対応するコンテンツの一例を示す図である。
【図８】図８は、一実施形態に係る管理サーバ１００の動作の一例を示すフローチャートである。
【発明を実施するための形態】
【００１０】
以下、図１〜図８参照して、一実施形態について説明する。
【００１１】
図１〜図７を参照して、本実施形態に係るサービス提供システム１の構成の一例について説明する。
【００１２】
本実施形態に係るサービス提供システム１は、管理サーバ１００を用いることによって、企業２００によって指定された日時（以下、指定日時）及び空間（以下、指定空間）のうちユーザ１０によって選択された日時（以下、選択日時）及び空間（以下、選択空間）においてユーザ１０が料理を作ることを可能とするサービス（以下、本サービス）を提供するように構成されている。
【００１３】
以下、本実施形態では、ユーザ１０は、本サービスに加入している会員を示す。また、本サービスは、例えば、毎月の利用代金が定額で利用可能なサブスクリプション型のサービスであってもよいし、ユーザ１０が本サービスを利用する度に利用代金を支払うタイプのサービスであってもよい。
【００１４】
ユーザ１０は、本サービスに加入する際に、所定期間中に（例えば、週ごとや月ごとに）本サービスを利用して料理を作ることができる回数が決められているプランの中から、自身に適したプランを決定する。なお、ユーザ１０は、本サービスに加入した後に、自身のプランを変更することも可能である。
【００１５】
また、企業２００は、本サービスを提供することに同意しており、上述の空間を提供することができる企業を示す。なお、企業２００は、上述の空間を提供することができる企業であれば、例えば、ユーザ１０が勤務する企業であってもよいし、一時的に利用若しくは貸与を許可する種類のレンタルスペース等を提供する企業であってもよい。
【００１６】
なお、ユーザ１０が勤務する企業２００は、福利厚生の一環として、ユーザ１０の本サービスの利用代金の一部又は全部を負担してもよい。
【００１７】
また、指定空間(及び、選択空間)は、ユーザ１０が料理を作ることができる場所を示すものとし、例えば、企業２００のオフィス内の会議室或いは執務室であってもよいし、企業２００によって提供されるレンタルスペース等であってもよい。例えば、かかるレンタルスペースとしては、イベントスペースやコワーキングスペースやフィットネスジムの空きスペース等が挙げられる。
【００１８】
また、指定日時(及び、選択日時)は、ユーザ１０の移動時間中や勤務時間中における隙間時間であることが好ましい。例えば、かかる隙間時間には、早朝や昼休み等の休憩時間やアフターファイブや休日が含まれ得る。
【００１９】
すなわち、ユーザ１０は、自身の勤務先の企業２００のオフィス内の会議室や執務室に限らず、休日を含む勤務時間外に、レンタルスペース等で料理を作ることができる。
【００２０】
例えば、本サービスは、企業２００に勤務するユーザ１０であって、共働きの世帯であって自宅で料理を作る時間が取りにくいようなユーザ１０を対象にしてもよい。特に、本サービスは、共働きの子育て世帯の母親或いは父親を対象にしてもよい。
【００２１】
図１に示すように、本実施形態に係るサービス提供システム１は、端末２０と、管理サーバ１００と、企業２００と、流通業者３００と、食品メーカ４００と、配送業者５００とを有している。
【００２２】
端末２０は、本実施形態に係るサービス提供システム１によって提供される本サービスの会員であるユーザ１０によって使用される端末であって、例えば、かかる端末２０としては、ユーザ１０のＰＣ（Ｐｅｒｓｏｎａｌ  Ｃｏｍｐｕｔｅｒ）であってもよいし、ユーザ１０の携帯通信端末であってもよい。
【００２３】
企業２００は、例えば、サーバ等によって、かかる企業２００の会議室等の予約状況等を管理することができる。また、企業２００は、管理サーバ１００からの依頼に応じて、かかる会議室等の予約状況を参照して、ユーザ１０に対して提供可能な空間及び日時を決定して、かかる空間及び日時を、上述の指定空間及び指定日時として管理サーバ１００に通知することができる。
【００２４】
流通業者３００は、上述の料理を作るために必要な食材の注文を受け付けて、かかる食材を提供することができる。例えば、流通業者３００は、食品の卸業者であってもよいし、かかる生産者自身であってもよい。また、流通業者３００は、サーバ等によって、かかる注文を受け付けてもよい。
【００２５】
ここで、流通業者３００は、管理サーバ１００からの要望により、所定タイミングで定期的に食材を提供してもよい。
【００２６】
食品メーカ４００は、料理を作るために必要な調味料等の注文を受け付けて、かかる調味料等を提供することができる。なお、食品メーカ４００は、サーバ等によってかかる注文を受け付けてもよい。ここで、食品メーカ４００は、管理サーバ１００からの要望により、所定タイミングで定期的に調味料等を提供してもよい。
【００２７】
なお、流通業者３００及び食品メーカ４００は、同一の事業体であってもよい。
【００２８】
配送業者５００は、管理サーバ１００から配送依頼を受け付けた場合に、上述の料理をユーザ１０によって指定された住所（例えば、ユーザ１０の自宅等）に配送することができる。
【００２９】
管理サーバ１００は、企業によって指定された指定日時及び指定空間のうちユーザによって選択された選択日時及び選択空間においてユーザが料理を作ることを可能とするサーバである。
【００３０】
管理サーバ１００は、図２に示すように、ユーザ情報管理部１０１と、料理提案部１０２と、企業情報管理部１０３と、ユーザインターフェイス（ＩＦ）１０４と、予約情報管理部１０５と、発注部１０６と、コンテンツ配信部１０７と、配送手配部１０８とを有している。ここで、管理サーバ１００は、配送手配部１０８を具備していなくてもよい。
【００３１】
ユーザ情報管理部１０１は、本サービスの会員として登録されている各ユーザ１０に係る情報であるユーザ情報を管理するように構成されている。ここで、ユーザ情報管理部１０１は、ユーザ１０の端末２０によって入力された情報に基づいて、各ユーザ１０のユーザ情報を生成するように構成されていてもよい。
【００３２】
例えば、ユーザ情報管理部１０１は、ユーザ１０ごとに、かかるユーザ情報として、図３に示すように、少なくとも「ユーザＩＤ」と「アドレス情報」と「味の嗜好情報」とを関連付けて管理するように構成されている。
【００３３】
ここで、「ユーザＩＤ」は、かかるユーザ１０を識別するための情報である。
【００３４】
「アドレス情報」は、かかるユーザ１０によって指定されたコンテンツの送信先のアドレス情報である。例えば、図３に示すように、「アドレス情報」には、ユーザ１０の端末２０のメールアドレス等が設定されてもよい。
【００３５】
「味の嗜好情報」は、かかるユーザ１０の味付けの好みを示す情報である。例えば、「味の嗜好情報」には、図３に示すように、濃い味付けを好みとすることを示す「濃い」や、薄い味付けを好みとすることを示す「薄い」や、普通の味付けを好みとすることを示す「普通」や、辛い味付けを好みとする「辛い」等が設定されてもよい。
【００３６】
なお、図示しないが、ユーザ情報管理部１０１は、さらに、かかるユーザ情報として、かかるユーザ１０のプロフィールに係る情報であるプロフィール情報や、かかるユーザ１０による本サービスの利用履歴に係る情報である利用履歴等を管理するように構成されていてもよい。
【００３７】
例えば、プロフィール情報には、かかるユーザ１０の生年月日や性別や家族構成や食の趣向やアレルギー情報や病歴の有無やユーザ１０が勤務する企業や利用希望形態等が設定されてもよい。
【００３８】
なお、上述の「味の嗜好情報」は、かかるプロフィール情報に含まれていてもよい。
【００３９】
ここで、利用希望形態等は、かかるユーザ１０が利用を望む利用形態に係る情報である。利用希望形態としては、予算や、料理を食べるシーンの選択（料理をオフィスで食べる場合、テイクアウトで料理を自宅等へ持ち帰って食べる場合、又は、その両方の場合）や、メニュー志向等を指定する情報が設定されてもよい。
【００４０】
なお、メニュー志向は、ユーザ１０の目的別に準備されたプランを示す情報である。例えば、メニュー志向には、冷凍等を想定した作り置きプランや、子供向けプラン（例えば、離乳食や幼児食等を料理したい方を対象とする） や、定番料理プラン（献立全体のバランスを重視される方等を対象とする）や、ヘルシープラン（ダイエット志向の方等を対象とする）等が設定されてもよい。
【００４１】
また、例えば、「利用履歴」には、かかるユーザ１０が本サービスを利用した日時や、その際に作った料理の種類やレシピ等の情報が設定されてもよい。
【００４２】
料理提案部１０２は、ユーザ情報管理部１０１によって管理されているユーザ情報に基づいて、各ユーザ１０用の推奨料理を決定するように構成されている。
【００４３】
例えば、料理提案部１０２は、ユーザ１０の家族構成やアレルギー情報等や、ユーザ１０の過去の利用実績や、ユーザ１０の利用希望形態等に基づいて、かかるユーザ１０用の推奨料理を決定するように構成されてもよい。
【００４４】
ここで、料理提案部１０２は、各ユーザ１０に対して、所定期間（例えば、１か月や１週間）分のユーザ１０用の推奨料理を提案するように構成されていてもよい。
【００４５】
また、かかる推奨料理としては、早朝や昼休み等の休憩時間やアフターファイブやランチタイム等の隙間時間で作ることができるような料理であることが好ましい。例えば、かかる推奨料理としては、所定時間（例えば、１０分〜２０分）で作ることができる料理であることが好ましい。
【００４６】
また、料理提案部１０２は、同一の空間において同一の日時（時間帯）に複数のユーザ１０からなるグループ用に同一の推奨料理を提案するように構成されていてもよい。かかる場合、料理提案部１０２は、かかるグループ内のユーザ数に基づいて、かかる推奨料理を決定するように構成されていてもよい。
【００４７】
また、料理提案部１０２は、さらに、企業情報管理部１０３によって管理されている企業情報（後述）を参照して、各ユーザ１０用の推奨料理を決定するように構成されていてもよい。
【００４８】
例えば、料理提案部１０２は、さらに、ユーザ１０が勤務する企業２００によって指定され得る空間の制約情報を参照して、各ユーザ１０用の推奨料理を決定するように構成されていてもよい。
【００４９】
さらに、料理提案部１０２は、管理サーバ１００によって記憶されている複数の推奨料理の中から、所定方法によって、かかるユーザ１０用の推奨料理を選択するように構成されてもよい。
【００５０】
例えば、料理提案部１０２は、ユーザ１０の「プロフィール情報」と推奨料理との相関関係を機械学習した学習モデルを用いて、各ユーザ１０用の推奨料理を選択するように構成されてもよい。
【００５１】
なお、管理サーバ１００によって記憶されている複数の推奨料理のレシピは、本サービスに協力関係のある料理人等によって提供されてもよい。
【００５２】
ここで、料理提案部１０２は、各ユーザ１０用の推奨料理として、複数の推奨料理を選択するように構成されていてもよい。
【００５３】
企業情報管理部１０３は、本サービスを提供することに同意している企業２００に係る情報である企業情報を管理するように構成されている。
【００５４】
例えば、企業情報管理部１０３は、企業２００ごとに、かかる企業情報として、図４に示すように、少なくとも「指定日時情報」と「指定空間情報」とを関連付けて管理するように構成されている。
【００５５】
ここで、「指定日時情報」は、かかる企業２００によって提供可能な日時として指定された指定日時を示す情報である。なお、「指定日時情報」には、かかる指定日時を示す情報に加えて、かかる企業２００によって提供可能な時間として指定された時間を含めて設定されてもよい（例えば、１２：００〜１３：００等）。
【００５６】
また、「指定空間情報」は、「指定日時情報」に設定されている指定日時において企業２００によって提供可能な空間として指定されている指定空間（例えば、会議室や執務室やレンタルスペース等）を示す情報である。
【００５７】
なお、図示しないが、企業情報管理部１０３は、さらに、かかる企業情報として、「指定空間情報」に設定されている指定空間に関連する情報である提供場所情報等を管理するように構成されていてもよい。
【００５８】
例えば、提供場所情報には、かかる企業２００の指定空間の広さを示す広さ情報や保管情報や制約情報等が設定されていてもよい。
【００５９】
また、制約情報は、かかる企業２００の指定空間の使用に関する制約情報であって、企業２００の指定空間の設備に関する制約情報や、企業２００の指定空間の環境維持に関する制約情報や、企業２００の指定空間で料理する際の調理器具のメンテナンスに関する制約情報等を含む。
【００６０】
例えば、企業２００の指定空間の設備に関する制約情報は、かかる企業２００の指定空間において、電気・水道・ガス・換気等の各設備の使用可否や各設備の使用量に関する制限等を含む。
【００６１】
また、例えば、企業２００の指定空間の環境維持に関する制約情報は、料理後の指定空間の環境の維持に関する制限（例えば、食材や料理に起因する香りが残存することが好ましくない指定空間の環境に関する制限等）を含む。
【００６２】
さらに、例えば、企業２００の指定空間で料理する際の調理器具のメンテナンスに関する制約情報は、調理器具の洗浄等のメンテナンスに関する制限（例えば、洗浄し難い食材や料理に対する制限等）を含む。
【００６３】
ユーザインターフェイス１０４は、ユーザ１０の端末２０との間で通信を行うように構成されているインターフェイスとしての役割を果たす。
【００６４】
例えば、ユーザインターフェイス１０４は、ユーザ１０の端末２０からの要求に応じて、ユーザ１０の端末２０に、図５に示すようなユーザ予約画面を表示させるように構成されていてもよい。
【００６５】
ユーザ１０は、本サービスを利用して料理を作ることを希望する場合、端末１０を用いて、管理サーバ１００にアクセスし、管理サーバ１００によって提供されるユーザ予約画面（例えば、図５参照）において、本サービスの予約を行うことができる。
【００６６】
例えば、ユーザ１０は、かかるユーザ予約画面において、Ｃ１の欄に希望する日時を入力し、Ｃ２の欄に希望する空間を入力し、Ｃ３の欄に希望する料理を入力し、Ｃ４の欄に希望する料理の分量を入力することで、本サービスの予約を行うことができる。
【００６７】
ここで、ユーザインターフェイス１０４は、ユーザ予約画面におけるＣ１〜Ｃ４の欄に複数の入力候補を表示するように構成されており、ユーザ１０は、かかる複数の入力候補の中から希望するものを選択する形態になっていてもよい。
【００６８】
例えば、ユーザインターフェイス１０４は、Ｃ１及びＣ２の欄に、企業情報管理部１０３によって管理されている「指定日時情報」と「指定空間情報」との組み合わせを表示するように構成されていてもよい。
【００６９】
また、ユーザインターフェイス１０４は、Ｃ３の欄に、料理提案部１０２によって決定された複数の推奨料理を表示するように構成されていてもよい。
【００７０】
予約情報管理部１０５は、上述の端末２０を用いてユーザ１０により行われる本サービスの予約に係る情報である予約情報を管理するように構成されている。
【００７１】
具体的には、予約情報管理部１０５は、ユーザ１０ごとに、かかる予約情報として、図６に示すように、少なくとも「選択日時情報」と「選択空間情報」と「選択料理情報」と「分量情報」と「コンテンツ情報」とを関連付けて管理するように構成されている。
【００７２】
ここで、「選択日時情報」は、かかるユーザ１０が、本サービスの利用を希望する日時（例えば、利用可能な時間帯等）として、企業２００によって指定された指定日時の中から選択した選択日時を示す情報である。
【００７３】
「選択空間情報」は、かかるユーザ１０が、本サービスの利用を希望する企業２００の空間（例えば、会議室や執務室やレンタルスペース等）として、企業２００によって指定された指定空間の中から選択した選択空間を示す情報である。
【００７４】
「選択料理情報」は、上述の「選択日時情報」によって示されている選択日時に「選択空間情報」によって示される選択空間においてユーザ１０が作ることを希望する料理（ユーザ予約画面のＣ３の欄においてユーザ１０によって選択された選択料理）を示す情報である。
【００７５】
「分量情報」は、「選択料理情報」によって示される料理についてユーザ１０が何人分の分量を作りたいかを示す情報である。
【００７６】
「コンテンツ情報」は、「選択料理情報」によって示される料理のレシピに対応するコンテンツを識別するコンテンツ識別情報である。
【００７７】
予約情報管理部１０５は、かかる予約情報として、さらに他の情報を管理するように構成されていてもよい。
【００７８】
発注部１０６は、上述の料理の食材と共に、調味料を発注するように構成されている。
【００７９】
例えば、発注部１０６は、上述の指定空間における保管情報や制約情報等を考慮して、かかる調味料の発注を行うように構成されていてもよい。
【００８０】
すなわち、発注部１０６は、食品メーカ４００に対して、かかる調味料については、毎日発注するのではなく、上述の指定空間において在庫として足りなくなる前の所定タイミングで発注するように構成されていてもよい。
【００８１】
具体的には、発注部１０６は、料理提案部１０２によって提案されて各ユーザ１０によって選択された料理のレシピに基づいて、かかるレシピに対応する料理を作るために必要な食材及び調味料の少なくとも一方を発注するように構成されている。
【００８２】
なお、発注部１０６は、選択日時よりも所定期間前に、かかる選択日時に料理を作る予定のユーザ１０用の食材を発注するように構成されていてもよい。
【００８３】
上述の発注は、ネットワークを介して、電子メールやＦＡＸによって行われてもよいし、流通業者３００或いは食品メーカ４００によって管理されているサーバ等における規定のフォーマットに入力する形式で行われてもよいし、音声通話によって行われてもよい。
【００８４】
コンテンツ配信部１０７は、ユーザ情報管理部１０１によって管理されているユーザ情報及び予約情報管理部１０５によって管理されている予約情報を参照し、各ユーザ１０の「ユーザＩＤ」に関連付けられている「アドレス情報」に示されているメールアドレス等に対して、「選択日時情報」に設定されている選択日時以前に、かかる「選択日時情報」に関連付けられている「コンテンツ情報」によって識別されるコンテンツを配信するように構成されている。
【００８５】
例えば、コンテンツ配信部１０７は、かかるコンテンツとして、図７に示すような「料理のレシピ」を生成して配信するように構成されている。
【００８６】
ここで、図７に示す「料理のレシピ」は、「ベースレシピ」と「味付けオプション」とによって構成されている。
【００８７】
例えば、図７に示すように、「ベースレシピ」は、「名称」と「材料」と「作り方」とによって構成されており、かかる「料理のレシピ」のベースとなるレシピである。
【００８８】
また、「味付けオプション」は、ユーザ１０の味付けの好みに基づいて個別に推奨（レコメンド）されるレシピである。
【００８９】
具体的には、コンテンツ配信部１０７は、ユーザ情報管理部１０１によって管理されている「味の嗜好情報」と、予約情報管理部１０５によって管理されている「コンテンツ情報」と「分量情報」とに基づいて、ユーザ１０ごとに、「選択料理情報」に設定されている料理のレシピ内における食材及び調味料の少なくとも一方についての分量の記載を変更したコンテンツを生成して配信するように構成されている。
【００９０】
ここで、図７に示すように、コンテンツ配信部１０７は、ユーザ１０ごとに、かかる「分量情報」に基づいて、かかる「コンテンツ情報」に設定されているコンテンツ識別情報によって識別されるコンテンツ（「料理のレシピ」）における「材料」における分量の記載を変更するように構成されていてもよい。
【００９１】
例えば、図７に示すように、コンテンツ配信部１０７は、ユーザ１０ごとに、上述の「分量情報」に基づいて、かかる「材料」における食材（例えば、豚ロース薄切りやカット野菜）の分量（２００ｇや２２０ｇ等）についての記載及び調味料（例えば、味噌だれ（共通調味料））の分量（大さじ１や小さじ１等）についての記載を変更するように構成されていてもよい。
【００９２】
また、コンテンツ配信部１０７は、ユーザ１０ごとに、上述の「味の嗜好情報」に基づいて、かかる「コンテンツ情報」に設定されているコンテンツ識別情報によって識別されるコンテンツ（「料理のレシピ」）における「味付けオプション」における分量の記載を変更するように構成されていてもよい。
【００９３】
例えば、図７に示すように、コンテンツ配信部１０７は、ユーザ１０ごとに、上述の「味の嗜好情報」に基づいて、「味付けオプション」における「オススメ順位１位」〜「オススメ順位３位」における調味料についての分量の記載を変更するように構成されていてもよい。
【００９４】
すなわち、コンテンツ配信部１０７は、ユーザ１０ごとに、上述の「味の嗜好情報」に基づいて、「味付けオプション」における「オススメ順位１位」〜「オススメ順位３位」の内容を決定するように構成されていてもよい。
【００９５】
例えば、ユーザ１００は、図７に示す料理（豚とキャベツの味噌炒め）を作る際に、「味付けオプション」における「オススメ順位１位（薄味）」を採用したい場合、「ベースレシピ」の「作り方」の４番目の「残りの１/２の味噌だれを入れ全体をよく混ぜる」という工程を「残りの１/４の味噌だれを入れ全体をよく混ぜる」という工程に変更する。
【００９６】
同様に、ユーザ１００は、図７に示す料理（豚とキャベツの味噌炒め）を作る際に、「味付けオプション」における「オススメ順位２位（濃い味）」を採用したい場合、「ベースレシピ」の「作り方」の４番目の「残りの１/２の味噌だれを入れ全体をよく混ぜる」という工程に加えて「オプション調味料として配送されている味噌だれを追加する」という工程に変更する。
【００９７】
さらに、ユーザ１００は、図７に示す料理（豚とキャベツの味噌炒め）を作る際に、「味付けオプション」における「オススメ順位３位（辛い味）」を採用したい場合、「ベースレシピ」の「作り方」の４番目の「残りの１/２の味噌だれを入れ全体をよく混ぜる」という工程に加えて「オプション調味料として配送されている豆板醤を追加する」という工程に変更する。
【００９８】
なお、コンテンツ配信部１０７は、上述の「コンテンツ情報」に設定されているコンテンツ識別情報によって識別されるコンテンツとして、基本となる料理のレシピの内容を含むコンテンツを抽出し、かかる基本となる料理のレシピの内容を、上述のように変更することで、各ユーザ１０に配信すべき料理のレシピを含むコンテンツを生成するように構成されていてもよい。
【００９９】
ここで、基本となる料理のレシピの内容は、例えば、分量が１人分で、味付けは「普通」であるケースを想定して作成されていてもよい。
【０１００】
また、かかるコンテンツは、各料理のレシピに内容等を含む１つ又は複数の静止画によって構成されていてもよい。
【０１０１】
上述の実施形態では、かかるコンテンツが静止画によって構成されるケースを例に挙げて説明したが、本発明は、かかるケースに限定されるものではなく、かかるコンテンツが動画や音声や写真やテキスト等によって構成されるケースにも適用可能である。
【０１０２】
なお、コンテンツ配送部１０７は、外部から取得したコンテンツを配送するように構成されていてもよいし、管理サーバ１００の管理者によって入力されたコンテンツを配送するように構成されていてもよい。
【０１０３】
配送手配部１０８は、ユーザ１０からの配送依頼に基づいて、配送業者５００に対して、ユーザ１０によって作られた料理の配送を手配するように構成されている。
【０１０４】
かかる配送の手配は、ネットワークを介して、電子メールやＦＡＸによって行われてもよいし、配送業者５００によって管理されているサーバ等における規定のフォーマットに入力する形式で行われてもよいし、音声通話によって行われてもよい。
【０１０５】
以下、図８を参照して、本実施形態に係る管理サーバ１００の動作の一例について説明する。
【０１０６】
図８に示すように、ステップＳ１０１において、本実施形態に係る管理サーバ１００のコンテンツ配信部１０７は、所定タイミングで、予約情報管理部１０５によって管理されている予約情報を参照して、所定条件に当てはまる「選択日時情報」に関連付けられている「コンテンツ情報」に設定されているコンテンツ識別情報によって識別されるコンテンツを抽出する。
【０１０７】
ここで、所定タイミングは、例えば、毎日の特定時刻（例えば、９:００ＡＭ等）であってもよいし、特定曜日（例えば、毎週日曜日等）の特定時刻であってもよい。
【０１０８】
また、所定条件に当てはまる「選択日時情報」は、設定されている選択日時が所定タイミングよりも所定期間だけ前の日付である「選択日時情報」であってもよい。
【０１０９】
ステップＳ１０２において、コンテンツ配信部１０７は、ユーザ情報管理部１０１によって管理されている「味の嗜好情報」と、予約情報管理部１０５によって管理されている「分量情報」とに基づいて、ユーザ１０ごとに、抽出したコンテンツにおける所定部分の記載（すなわち、かかるコンテンツに含まれる料理のレシピ内における食材及び調味料の少なくとも一方についての分量の記載）を変更する。
【０１１０】
かかる所定部分は、例えば、図７に示す「ベースレシピ」における「材料」の部分や「味付けオプション」における「オススメ順位１位」〜「オススメ順位３位」の部分である。
【０１１１】
ステップＳ１０３において、コンテンツ配信部１０７は、ユーザ１０ごとに、ユーザ情報管理部１０１によって管理されている「アドレス情報」に設定されているメールアドレス宛てに、変更されたコンテンツを配信する。
【０１１２】
本実施形態に係るサービス提供システム１によれば、企業２００の空間を間借りすることで、ユーザ１０の移動時間中や勤務時間中の隙間時間にて料理を作ることができ、しかも煩わしいレシピの考案を管理サーバ１００によって代行してもらえるため、忙しい共働きの世帯（特に、共働きの子育て世帯）において、家族間のコミュニケーション（特に、子供とのコミュニケーション）の時間を増やすことができ、自分の時間を確保することもできるようになる。
【０１１３】
また、本実施形態に係るサービス提供システム１によれば、ユーザ１０の移動時間中や勤務時間中の隙間時間にてユーザ１０自身が料理を行うことができるため、中食や宅食を活用する場合と比べて、コストを削減しつつ、自身で料理しないことの罪悪感をなくすことができる。
【０１１４】
また、本実施形態に係るサービス提供システム１によれば、ユーザ１０は、食材や調味料等の購入や調理器具等のメンテナンス、自宅で料理した後のキッチンの片付けや清掃を意識することなく料理を行うことができる。
【０１１５】
また、本実施形態に係るサービス提供システム１によれば、ユーザ１０ごとに、味の好みや必要な分量が反映された個別の料理のレシピを含むコンテンツを配信することができる。
【０１１６】
また、本実施形態に係るサービス提供システム１によれば、基本となるコンテンツから必要な部分のみを変更することで、容易に各ユーザ１０の味の好みや必要な分量に応じた個別の料理のレシピを生成することができる。
【０１１７】
また、本実施形態に係るサービス提供システム１によれば、ユーザ１０の味の好みや必要な分量別の複数の料理のレシピを含む複数のコンテンツを個別に準備する必要がなくなる。
【産業上の利用可能性】
【０１１８】
本発明によれば、企業２００において空いている空間やユーザ１０の空いている時間を有効活用することができる。
【０１１９】
また、本発明によれば、料理教室のように、単発（週１回や月１回等）ではなく、日常的に継続可能なシステムとして本サービスを提供し、ユーザ１０の生活習慣を変化させることができる。
【符号の説明】
【０１２０】
１…サービス提供システム
１０…ユーザ
２０…端末
１００…管理サーバ
１０１…ユーザ情報管理部
１０２…レシピ決定部
１０３…企業情報管理部
１０４…ユーザインターフェイス
１０５…予約情報管理部
１０６…発注部
１０７…コンテンツ管理部
１０８…配送手配部
２００…企業
３００…流通業者
４００…食品メーカ
５００…配送業者
【要約】      （修正有）【課題】料理をゆっくり作る時間を取ることが難しいという共働きの世帯の悩みを根本的に解決し、ユーザが料理を作ることを可能とする管理サーバを提供する。【解決手段】サービス提供システムにおいて、管理サーバ１００は、ユーザごとに味付けの好みを示す味の志向情報を含むユーザ情報を管理するユーザ情報管理部１０１と、ユーザごとに選択日時情報と選択空間情報と選択料理情報とコンテンツ識別情報と分量情報とを関連付ける予約情報を管理する予約情報管理部１０５と、ユーザに対して選択日時以前に選択日時に関連付けられているコンテンツを配信するコンテンツ配信部１０７とを具備する。コンテンツ配信部は、味の志向情報とコンテンツ情報と分量情報とに基づいてユーザごとにレシピ内における食材及び調味料の少なくとも一方についての分量の記載を変更したコンテンツを生成して配信する。【選択図】図２【図１】
0006913806.tif 000002
【図２】
0006913806.tif 000003
【図３】
0006913806.tif 000004
【図４】
0006913806.tif 000005
【図５】
0006913806.tif 000006
【図６】
0006913806.tif 000007
【図７】
0006913806.tif 000008
【図８】
0006913806.tif 000009